(57)【要約】  本出願は、１つまたは複数の細長い部材（９０）を椎骨（１００）の後面に取り付けるための装置（１０）を対象とする。この装置は、椎骨に接触する第１の面と、第２の逆向きの面とを有する本体を含むことがある。フックが、椎骨に係合するために第１の面から外側に延在することがある。また、本体は、細長い部材を受け取るために１つまたは複数の受取部を含むことがある。係合部材は、本体に移動可能に接続されることがある。係合部材は、本体に接触する第１の区域と、第２のフックを含む第２の区域とを含むことがある。係合部材は、第１のフックと第２のフックとの間の距離を調節して本体を椎骨に取り付けるように、本体に関して位置決めされることがある。固定具が、係合部材を所望の位置で本体に固定することがある。また、固定具は、１つまたは複数の細長い部材を本体に取り付けることがある。
2010508996.tif 000002
【特許請求の範囲】
【請求項１】
細長い部材を椎骨の後面に取り付けるための固定装置であって、
前記椎骨の前記後面に接触する第１の面と、前記第１の面と対向する第２の面とを含む本体であって、前記本体は、さらに第１のフックを含み、前記第１のフックは、前記第１の面を越えて外側に延在して前記椎骨に係合する、本体と、
前記細長い部材を受け取るために前記本体の内部に形成された受取部と、
第２のフックを含む係合部材であって、前記係合部材は前記本体に摺動可能に取り付けられて、前記椎骨に係合するための圧縮力を加えるために、前記第１のフックと前記第２のフックとの間の距離を調節する、係合部材と、を備える装置。
【請求項２】
前記第１のフックが、前記本体の中央に沿って位置合わせされる、請求項１に記載の装置。
【請求項３】
前記第２のフックが、前記第１のフックと軸線方向で位置合わせされて、前記第１のフックに対面する、請求項２に記載の装置。
【請求項４】
前記係合部材が、前記第１のフックと共通の方向に前記本体から外側に延在する、請求項１に記載の装置。
【請求項５】
前記係合部材が、前記第１のフックと反対の方向に前記本体から外側に延在する、請求項１に記載の装置。
【請求項６】
前記係合部材が、実質的にＴ字形であり、中央部材と、フック付き端部をそれぞれが含む一対の腕部とを有する、請求項１に記載の装置。
【請求項７】
前記装置が、さらに前記本体を通って延在する取り付け部材を備え、前記取り付け部材が、前記椎骨の前記後面に接触する足部を含む、請求項１に記載の装置。
【請求項８】
前記装置が、さらに溝孔を備え、前記溝孔は、前記本体の前記第２の面に延在して、前記係合部材の腕部を受け取るように寸法設定される、請求項１に記載の装置。
【請求項９】
前記装置が、さらに前記本体に取り付けられる固定具を備え、前記固定具が、前記受取部の上に延在して前記細長い部材を前記本体に固定し、かつ前記係合部材の上に延在して前記係合部材を前記本体に固定する、請求項１に記載の装置。
【請求項１０】
前記装置が、さらに前記本体の前記第２の面に取り付けられるキャップを備え、前記キャップが、前記細長い部材の上に延在する、請求項１に記載の装置。
【請求項１１】
細長い部材を椎骨の後面に取り付けるための固定装置であって、
前記椎骨の前記後面に接触する第１の面と、前記第１の面と対向する第２の面とを含む本体であって、前記本体が、さらに第１のフックを含み、前記第１のフックが、前記第１の面を越えて外側に延在して前記椎骨に係合する、本体と、
前記細長い部材を受け取るために前記本体の内部に形成された受取部と、
第１の区域および第２の区域を含む係合部材であって、前記第１の区域が、前記本体の前記第２の面に摺動可能に取り付けられ、かつ前記第１のフックおよび前記第２の区域の間の距離を調節するために移動可能である、係合部材と、
前記本体に前記第１の区域を固定して、前記係合部材および前記本体の間の移動を防止する固定具と、を備える固定装置。
【請求項１２】
前記固定具が、さらに、前記細長い部材を前記受取部の内部に固定する、請求項１１に記載の装置。
【請求項１３】
前記第２の区域が、第２のフックを含み、前記第２のフックは、前記係合部材が前記本体に固定されるときに、前記第１のフックと軸線方向で位置合わせされる、請求項１１に記載の装置。
【請求項１４】
前記装置は、さらに、前記本体の前記第２の面に取り付けられるキャップを備え、前記キャップが、前記細長い部材の上に延在し、前記細長い部材を前記受取部の内部に収容する、請求項１１に記載の装置。
【請求項１５】
前記第２の区域が、湾曲され、かつフック付き端部を含む、請求項１１に記載の装置。
【請求項１６】
前記装置が、さらに、第２の細長い部材を受け取るために第２の受取部を備え、前記第２の受取部が、前記受取部と実質的に平行である、請求項１１に記載の装置。
【請求項１７】
第１および第２の細長い部材を椎骨の後面に取り付けるための固定装置であって、
前記椎骨の前記後面に接触する第１の面と、前記第１の面に対向する第２の面とを含む本体であって、前記本体は、中央区域と、第１および第２の翼とを含み、前記第１および第２の翼は、前記中央区域の両側から側向外側に延在し、前記本体は、さらに第１のフックを含み、前記第１のフックは、前記中央区域から外側に前記第１の面を越えて延在して前記椎骨に係合する、本体と、
前記第１の細長い部材を受け取るために、前記第１の翼の内部に形成された第１の受取部と、
前記第２の細長い部材を受け取るために、前記第２の翼の内部に形成された第２の受取部と、
第２のフックを含む係合部材であって、前記係合部材は、前記中央区域に動作可能に取り付けられ、前記第１のフックおよび前記第２のフックの間の距離を調節するために移動可能である、係合部材と、
前記本体に取り付けられる固定具であって、前記固定具は、前記第１および第２の受取部にわたって延在するように寸法設定されて、前記第１および第２の細長い部材と前記係合部材とを前記本体に固定する、固定具と、を備える装置。
【請求項１８】
前記係合部材が、実質的に直線状であり、前記第２のフックが、前記第１のフックと軸線方向で位置合わせされる、請求項１７に記載の装置。
【請求項１９】
前記固定具が、ナットと、ねじ切りボルトとを備える、請求項１７に記載の装置。
【請求項２０】
前記装置が、さらに前記細長い部材と前記本体との上に延在するキャップを備え、前記キャップが、前記固定具によって前記本体に取り付けられる、請求項１７に記載の装置。
【請求項２１】
前記第１のフックと前記係合部材とがそれぞれ、前記本体の共通の側から外側に延在する、請求項１７に記載の装置。
【請求項２２】
前記係合部材が、前記本体に接触する第１の区域と、第２の区域とを含み、前記第２の区域が、フック付き端部をそれぞれ含む一対の腕部を含む、請求項１７に記載の装置。
【請求項２３】
細長い部材を椎骨の後面に取り付ける方法であって、
前記後面に接触する第１の面と、外側に向いた第２の面とを有する本体を前記椎骨に位置決めするステップと、
前記第１の面を越えて外側に延在する第１のフックを前記椎骨に取り付けるステップと、
前記本体に動作可能に接続されてた係合部材を移動するステップであって、前記係合部材は、前記係合部材にある第２のフックと前記第１のフックとの間の距離を調節する、係合部材を移動するステップと、
前記本体の前記第２の面にある受取部の内部に前記細長い部材を配置するステップと、
前記第２の面に固定具を取り付けるステップであって、前記係合部材を前記本体に固定し、かつ前記細長い部材を前記受取部の内部に固定する、固定具を取り付けるステップと、を含む方法。
【請求項２４】
前記本体に動作可能に接続された前記係合部材を移動する前記ステップが、前記本体の前記第２の面にある溝孔の内部で、前記係合の第１の区域を摺動させるステップを含む、請求項２３に記載の方法。
【請求項２５】
前記方法は、さらに前記第２のフックと前記係合部材にある第３のフックとの間の距離を調節するステップを含む、請求項２３に記載の方法。
【請求項２６】
前記方法は、さらに前記椎骨の中心線に沿って、前記第１のフックと前記第２のフックとを位置合わせするステップを含む、請求項２３に記載の方法。
【請求項２７】
前記固定具を前記第２の面に取り付ける前記ステップが、ナットをねじ付きボルトに取り付けるステップを含む、請求項２３に記載の方法。
【請求項２８】
前記本体の前記第２の面にある前記受取部の内部に前記細長い部材を位置決めする前記ステップが、前記細長い部材をキャップに取り付けるステップと、前記キャップおよび細長い部材を前記本体に案内するステップとを含む、請求項２３に記載の方法。
【請求項２９】
第１および第２の細長い部材を椎骨の後面に取り付ける方法であって、
前記後面に接触する第１の面と、外側に向いた第２の面とを有する本体を前記椎骨に配置するステップと、
前記第１の面を越えて外側に延在する第１のフックを前記椎骨に取り付けるステップと、
前記本体に動作可能に接続された係合部材を移動するステップであって、前記係合部材は、前記係合部材にある第２のフックと前記第１のフックとの間の距離を調節することによって、前記本体を前記椎骨に取り付ける、係合部材を移動するステップと、
前記本体の前記第２の面にある第１の受取部の内部に、前記第１の細長い部材を配置し、前記本体の前記第２の面にある第２の受取部の内部に前記第２の細長い部材を配置するステップと、
前記係合部材と前記第１および第２の受取部との少なくとも一部分の上に延在するように、前記本体の前記第２の面に固定具を取り付けるステップと、を含む方法。
【発明の詳細な説明】
【技術分野】
【０００１】
本出願は、後方固定装置を対象とし、より詳細には、１つまたは複数の細長い部材を固定するための、椎骨の後面に取り付ける装置を対象とする。
【背景技術】
【０００２】
脊椎は、頚椎、胸椎、腰椎、および仙尾椎からなる４つの領域に分けられる。頚椎領域は、Ｃ１〜Ｃ７として識別される上部７つの椎骨を含む。胸椎領域は、Ｔ１〜Ｔ１２として識別される次の１２の椎骨を含む。腰椎領域は、５つの椎骨Ｌ１〜Ｌ５を含む。仙尾椎領域は、仙骨および尾骨を形成する９つの癒合した椎骨を含む。脊椎の椎骨は、頚椎湾曲、胸椎湾曲、および腰椎湾曲を含む湾曲構成で整列される。
【０００３】
様々な状況が、椎骨および／または椎間板の損傷をもたらすことがある。損傷は、外傷、変性状態、腫瘍、または感染など特定の症状を含めた様々な原因から生じることがある。椎間板および椎骨に対する外傷は、痛み、神経障害、および／または運動機能喪失をもたらすことがある。応力を再分散し、かつ／または椎骨の適切な整列を回復するために、ロッド、バー、およびブレードなど、しかしそれらに限定されない細長い部材が、脊椎に沿って延在することがある。細長い部材は、実質的に直線であってよく、または脊椎の湾曲に適合するように湾曲構成を含むこともある。
【０００４】
細長い部材は、椎骨の１つまたは複数にしっかりと固定すべきである。椎骨の多様な形状および寸法により、固定がしばしば困難であることが判明している。
【発明の概要】
【課題を解決するための手段】
【０００５】
本出願は、１つまたは複数の細長い部材を椎骨（脊椎）の後面に取り付けるための装置および方法を対象とする。本装置は、椎骨に接触する第１の面と、第２の逆向きの面とを有する本体を含むことがある。フックが、椎骨に係合するために第１の面から外側に延在することがある。また、本体は、細長い部材を受け取るために１つまたは複数の受取部を含むことがある。係合部材は、本体に移動可能に接続されることがある。係合部材は、本体に接触する第１の区域と、第２のフックを含む第２の区域とを含むことがある。係合部材は、第１のフックと第２のフックとの間の距離を調節して本体を椎骨に取り付けるように、本体に関して位置決めされることがある。固定具が、係合部材を所望の位置で本体に固定することがある。また、固定具は、１つまたは複数の細長い部材を本体に取り付けることがある。
【図面の簡単な説明】
【０００６】
【図１】一対の細長い部材を椎骨に取り付ける複数の本体を特徴とする固定システムの一実施形態による側面図である。
【図２】一実施形態による固定装置の第１の方向からの斜視図である。
【図３】一実施形態による固定装置の第２の方向からの斜視図である。
【図４】一実施形態による固定装置の第３の方向からの斜視図である。
【図５】一実施形態による固定装置の斜視図である。
【図６】一実施形態による固定装置の斜視図である。
【図７】一実施形態による固定装置の分解斜視図である。
【図８】一実施形態による１つの使用状況での固定システムの側面図である。
【図９】一実施形態による１つの使用状況での固定システムの側面図である。
【図１０】一実施形態による１つの使用状況での固定システムの側面図である。
【発明を実施するための形態】
【０００７】
本出願は、１つまたは複数の細長い部材を１つまたは複数の椎骨に取り付けるための固定装置およびシステムを対象とする。固定装置は、椎骨に取り付けるように協働するフックを有する本体を含む。また、本体は、細長い部材を受け取るための１つまたは複数の受取部を含む。固定具が、本体に取り付けて、フックの位置を固定し、かつ１つまたは複数の細長い部材を本体に固定することがある。この装置は、固定システムを形成するために、２つ以上の椎骨に対して使用されることがある。固定システムは、椎骨に対する応力を位置決めおよび／または再分散するために、脊椎の一区域に沿って延在する。
【０００８】
図１は、椎骨１００の後方区域にそれぞれ取り付ける一対の固定装置１０の一実施形態を例示する。装置１０は、椎骨１００の後面に位置決めされて、椎弓板に取り付けるフックを含むことがある。さらに、装置１０は、細長い部材９０を受け取るために１つまたは複数の受取部を含む。２つ以上の装置１０が椎骨１００に取り付けられることがあり、細長い部材９０を係留して、固定システム２００を形成する。固定システム２００は、椎骨１００を支持および／または位置決めする。固定装置１０はそれぞれ、椎骨１００の一区域にわたって延在する本体２０を含む。図２、図３、および図４に例示されるように、本体２０は、第１の区域２１と、一対の側翼２２とを含む。翼２２の外縁部間で測定される本体２０の横方向長さは、使用状況に応じて異なることがある。さらに、本体２０は、湾曲形状を含むことがあり、側翼２２の内面２７が、第１の区域２１からずらされる。本体２０の湾曲形状は、椎骨１００の後面と合致し、第１の区域が、実質的に椎骨１００の中心線に位置決めされ、側翼２２が、中心線の各側に位置決めされる。
【０００９】
本体２０は、椎骨１００の後面に接触する（すなわち、前方に向いた）内面２７と、椎骨１００とは逆に向いた（すなわち、後方に向いた）外面２８とを含む。細長い部材９０を受け取るために、１つまたは複数の溝孔（細長孔、スロット）２３が外面２８に延在することがある。溝孔２３は、第１の区域２１から外方向に様々な距離で位置決めされることがある。さらに、溝孔２３は、細長い部材９０を受け取るために様々な形状および幅を含むことがある。溝孔２３は、溝孔２３の内部に位置決めされたときに細長い部材９０が外面２８よりも下に凹むような深さを含むことがあり、または細長い部材９０が外面２８よりも上に延出することがあるような深さを含むことがある。
【００１０】
図２および図３に例示される一実施形態では、側部溝孔２３は、各翼２２に位置決めされる。別の実施形態では、単一の溝孔２３が、翼２２の１つに配置される。さらに別の実施形態では、３つ以上の溝孔２３が、翼２２に配置される。１つの複数溝孔実施形態では、溝孔２３は、実質的に平行である。さらに、本体２０は、内面２７から外側に延在するフック２５を含む。フック２５は、本体２０の縁部から外側に延在することがある。一実施形態では、フック２５は、本体２０の上縁部から外側に延在して、椎骨１００の縁部に当接する。また、フック２５は、本体２０の第１の区域２１と横方向で位置合わせされることもあり、本体２０が取り付けられるときに、椎骨１００の中心線と実質的に位置合わせされることもある。
【００１１】
フック２５は、内面２７から外側に延在する第１の区域２６と、第１の区域２６の端部からある角度で延在する第２の区域２９とを含む。フック２５は、第１の区域２６が椎骨１００の椎弓板の上縁部に沿って延在するように、かつ第２の区域２９が椎弓板の前縁部に沿って延在するように構成される。図４に例示されるように、第２の区域２９は、傾斜の付いた厚さを含むことがあり、この厚さは、第１の区域２６から外側に減少する。傾斜形状は、椎弓板に沿った第２の区域２９の位置決め、および椎骨１００へのフック２５の取り付けを容易にする。
【００１２】
さらに、本体２０は、第１の区域２１の外面２８に延在する溝孔２４を含むことがある。溝孔２４は、傾斜の付いた下面を有して角度を付けられることがあり、この下面は、第１の側壁と外面２８との間で本体２０の内部に延在する。一実施形態では、溝孔２４は、側壁を通って延在し、本体２０の中央部分の内部で終端する。別の実施形態では、溝孔２４は、第１の側壁と第２の対向する側壁との間で本体２０の内部に延在する。さらに、溝孔２４は、フック２５と位置合わせされ、係合部材５０を受け取るように寸法設定される。
【００１３】
係合部材５０は、本体２０に移動可能に取り付けられる。係合部材５０の一実施形態が、図２〜図４に例示されており、腕部５１とフック５２とを含む。腕部５１は、本体２０に接触し、溝孔２４の内部で嵌合して移動するように寸法設定される。フック５０の横方向移動を防止するために、腕部５１は、溝孔２４と実質的に同じ幅を含むことがある。腕部５１は、図４に例示されるフック２５、５２間の距離Ｘを調節することを可能にする。腕部５１は、本体２０よりも大きい長さを含むことがあり、それにより、フック５２とは反対側の腕部５１の端部が、本体２０を越えて外側に延在する。複数の歯８２が、腕部５１の下面に配置されることがあり、溝孔２４の内部にある対応する複数の歯と対合する。歯８２は、溝孔の内部での腕部５１の位置を保ち、予期せず距離Ｘを変えることがある摺動を防止する。
【００１４】
フック５２は、椎骨１００の一側面に係合するように形状設定される。フック５２は、フック２５と共同して、椎弓板の中央部分を逆方向に押圧して保持するように機能する。これは、頭方−尾方および引出し方向で安定なクランプを形成する。フック５２は、上述したフック２５と同様の様々な形状および寸法を含むことがある。フック５２は、図２〜図４に例示されるように、腕部５１と軸線方向で位置合わせされることがある。一実施形態では、フック５２と腕部５１とは、椎骨１００の中心線と実質的に位置合わせされる。
【００１５】
また、係合部材５０は、椎骨１００に取り付けるために他の形状および寸法を含むこともある。図５は、本体２０に取り付ける第１の腕部５１と、一対の第２の腕部５３とを含む係合部材５０を例示する。第２の腕部５３は、腕部５１から外側に延在し、椎骨１００と係合するためのフック５２を含む。例示される一実施形態では、第２の腕部５３は、実質的にＴ字形を成すように実質的に９０°で腕部５１から外側に延在する。この実施形態は、腰椎領域における椎骨１００を、関節突起間部に係合するように位置決めされたフック５２と係合するのに効果的であることがある。また、腕部５３は、必要に応じて他の角度で外側に延在することもある。さらに、腕部５３は、同じ角度または異なる角度で外側に延在することがある。図６は、端部にそれぞれフック５２を有する湾曲構成を含む腕部５３を有する別の実施形態を例示する。
【００１６】
係合部材５０は、単一部片または複数部片として構成されることがある。図５および図６の実施形態では、複数部片設計は、腕部５１と腕部５３の１つとが第１の部片として形成されて、２部片から構成されることがあり、または、各腕部５３が腕部５１とは別個であって、３部片として構成されることがある。複数部片設計では、固定具５５が、別個の部片を一体に接続することがある。固定具５５は、ナットとボルトとの組合せ、ねじ、ピン、およびリベットを含めた、しかしそれらに限定されない様々な構成を含むことがある。固定具５５は、腕部５１、５３の開口を通って延在することがある。開口は、各腕部５３の角度位置を調節するように寸法設定されることがある。さらに、開口が、フック５２間の距離の調節を可能にすることがある。
【００１７】
本体２０は、様々な構成で椎骨１００に取り付けられることがある。１つの様式では、本体２０は、フック２５が椎骨１００の上縁部に係合するように位置決めされる。別の様式は、フック２５が下縁部に係合する形で位置決めされた本体２０を含む。
【００１８】
係合部材５０は、固定具３０によって本体２０に固定される。一実施形態では、固定具３０は、本体２０の外面２８で取り付ける１つまたは複数の固定部材３１を含む。図２および図７に例示されるような一実施形態では、固定部材３１は、本体２０から外側に延在するねじ切りボルト３３に取り付けられるナットである。ナットの回転が、係合部材５０に加えられる圧縮力の量を調節する。別の実施形態では、固定部材３１は、一体型頭部と、ねじ切りシャフトとを含む。ねじ切りシャフトは、本体２０にあるねじ切り開口内部に対合する。部材３１の回転により、シャフトが開口の内部に係合し、頭部が係合部材５０に圧縮力を加える。固定部材３１は、固定部材３１を回転するためのツールを受け取るために多角形外形を含むことがある。
【００１９】
また、捕捉部材３２が、固定部材３１の下に位置決めされることもある。一実施形態では、捕捉部材３２は、ねじ切りボルト３３の周りに嵌合するように寸法設定された中央開口を含む。捕捉部材３２は、細長い部材９０を溝孔２３の内部に保留するために、溝孔２３の全体または限定区域にわたって延在するような幅を含む。捕捉部材３２は、固定部材３１と実質的に同じ、またはそれよりも大きい幅を含むことがある。一実施形態では、捕捉部材３２は、溝孔３２に延在し、しかし固定部材３１は、溝孔２３に延在しない短い幅を含む。したがって、捕捉部材３２は、部材９０を溝孔２３の内部に保留し、しかし固定ナット３１は、それを行わない。
【００２０】
ねじ切りボルト３３は、図７に例示されるように、長く延びた長さを含むことがある。この長さは、細長い部材９０を本体２０と接続するための案内部材としてボルト３３が機能できるようにする。取り付け後、ボルト３３は、より小さい長さに切断されることがある。
【００２１】
さらに、１つまたは複数の取り付け部材４０が、本体２０を椎骨１００に取り付けることがある。取り付け部材４０は、本体２０から延在するシャフト４１と、椎骨１００の後面に接触するように下端部にある枢動足部４２とを含む。シャフト４１は、本体２０を通って延在する開口の内部に嵌合する。シャフト４１は、ねじ山を含むことがあり、回転が、シャフトを本体２０内に、かつ本体２０から外に移動させる。さらに、シャフト４１の外端部は、多角形構成などのツール係合面を含むことがある。足部４２は、シャフト４１の内端部に枢動可能に取り付けられ、椎骨１００の多様な表面に対処するように調節可能である。足部４２は、椎骨１００の後面との接触を増大するために、拡大された接触面積を含むことがある。一実施形態では、複数の取り付け部材４０が、各翼２２に位置決めされる。一実施形態では、１つの取り付け部材４０が、各翼２２の上に位置決めされる。部材４０は、本体２０の位置決めを制御するために共同して機能する。
【００２２】
装置１０の安定は、様々な取り付け点からの制御力の多方向均衡に基づく。一実施形態では、フック２５、５２が、椎弓板の中央部分を逆方向に押圧して保持し、両側の取り付け部材４０が、椎弓板の後面に対して押し下がる。フック２５、５２と取り付け部材４０との組合せが、前後移動と内外移動との両方を能動的に制御する。また、これらの部材の相対的な位置決めが、任意の回転移動を制御する。
【００２３】
椎骨１００の後方での装置１０の設置は、初めに、棘状突起の除去を必要とすることがある。除去は、当技術分野で知られている様々な手段によって行われることがある。除去されると、本体２０が、椎骨１００の後面に配置される。初めに、フック２５が、椎骨１００を捕捉することができ、第１の区域２６が椎骨１０の第１の縁部に沿って延在し、第２の区域２９が椎骨１００の第２の縁部に沿って位置決めされる。フック２５が位置決めされた状態で、本体２０の残りの部分が、椎骨１００に対して位置合わせされる。第１の区域２１は、椎骨１００の中心線上に位置合わせされることがあり、翼２２が、中心線から横方向外側に延在する。さらに、内面２７が、椎骨１００の後面と接触して位置決めされる。
【００２４】
本体２０を位置決めした後、係合部材５０が、フック２５と協働するように調節される。１つまたは複数のフック５２が椎骨１００に係合し、次いで、腕部５１が溝孔２４の内部で摺動される。１つまたは複数のフック５２とフック２５との協働が、椎骨を捕捉する。一実施形態では、腕部５１は、フック２５、５２が椎骨１００に圧縮力を加えるようになる量だけ移動されることがある。さらに、本体２０の取り付けをさらに強固にするために、１つまたは複数の取り付け部材４０が、足部４２が後面に接触する形で位置決めされることがある。１つまたは複数の細長い部材９０が、本体２０の溝孔２３と共に配置される。次いで、固定具３０が使用されることがあり、溝孔２３の上に延在して、細長い部材９０の脱落を防止する。さらに、固定具３０は、係合部材５０の位置を定留する。
【００２５】
キャップ７０が、本体２０の外面２８に取り付けることがある。図７は、本体２０の上に位置決めされたキャップ７０の分解図を例示し、図１は、本体２０に取り付けられたキャップ７０を例示する。キャップ７０は、本体２０に実質的に合致するように寸法設定および形状設定されることがある。キャップ７０は、取り付け部材４０とねじ切りボルト３３との周りに延在するように寸法設定された開口７１を含むことがある。一実施形態では、固定具３０が、キャップ７０を本体２０に取り付ける。
【００２６】
また、キャップ７０は、細長い部材９０に取り付ける接続機構７２を含むことがある。接続機構７２は、細長い部材９０の周りに延在し、かつ細長い部材９０に取り付けるクリップを下面に含むことがある。細長い部材９０を本体２０に取り付ける一方法では、部材９０は、初めにキャップ７０に取り付けられ、次いでキャップ７０と共に、本体２０に固定される。図７に例示されるように、キャップ７０は、細長い部材９０を本体２０に案内するために細長いボルト３３と相互作用することがある。
【００２７】
固定システム２００は、１つまたは複数の装置１０から構成されることがある。装置１０は、隣接する、または離れた椎骨１００に取り付けられることがある。さらに、固定システムは、脊椎に沿って延在する１つまたは複数の細長い部材９０を含むことがある。
【００２８】
固定システム２００は、単独で、または他の構造と組み合わせて使用されることがある。図１は、任意の他の構造を伴わずにシステム２００が単独で使用される実施形態を例示する。図８は、椎弓根ねじ式基部システム３００と接続されたシステム２００を例示する。この実施形態では、１つまたは複数の接続機構２５０が、細長い部材９０を追加のシステム３００と接続させる。図９は、椎間スペーサ２０９と組み合わせて使用される実施形態を例示する。ベース９２が、スペーサ２０９の第１の端部を支持するために装置から後方に延在する。ベース９２は、本体２０と係合部材５０との一方または両方に取り付けられることがある。スペーサ２０９の第２の端部は、椎骨１００の棘状突起１０７に当接して位置決めされる。図１０は、仙骨通路システム２２５と組み合わせた固定システム２００を例示する。脚部２１２が、細長い部材９０の下端部に接続する。脚部２１２の端部にあるプラグ２１１が、仙骨１２５に取り付ける。プラグ２１１は、仙骨１２５内への挿入のための外側ねじ山を含むことがある。
【００２９】
上述した実施形態のいくつかにおいて、係合部材５０の腕部５１は、本体２０にある溝孔２４の内部に位置決めされる。別の実施形態では、腕部５１は、単純に、本体２０の外面２８に配置される。固定具３０が、腕部５１を外面２８に当接させて捕捉するように圧縮力を加える。一実施形態では、腕部５１は、ねじ切りボルト３３または固定具３０のシャフトを受け取るように寸法設定された溝孔を含む。一実施形態では、本体２０は、第１の区域２１と、横方向外側に延在する一対の翼２２とを含む。別の実施形態では、本体２０は、第１の区域２１から外側に延在する単一の翼２２を含むことがある。この実施形態は、固定システム２００が単一の細長い部材９０を椎骨１００に係留するときに使用されることがある。第２の要素に対する１つの要素の位置決めを説明するために、説明を簡単にする目的で、「下」、「よりも下」、「下側」、「上」、「上側」、「上方」、「下方」など空間的な相対関係を示す用語が使用される。これらの用語は、図に示されるものとは異なる向きに加えて、装置の異なる向きを包含するものと意図される。さらに、「第１」、「第２」などの用語も、様々な要素、領域、区域などを説明するために使用され、これも、限定するものとは意図されていない。説明を通じて、同様の用語が同様の要素を表す。
【００３０】
本明細書で使用するとき、用語「有する」、「含有する」、「含む」、「備える」などは、述べられた要素または特徴の存在を示し、しかし追加の要素または特徴を排除しない、広い解釈が可能な用語である。冠詞の「ａ」、「ａｎ」および「ｔｈｅ」は、文脈上明確に別途示されない限り、単数のみならず複数も含むものと意図される。
【００３１】
本発明は、本発明の範囲および本質的な特徴から逸脱することなく、本明細書に記載されるものとは別の特定の様式で実施されることがある。したがって、本実施形態は、全ての点において、例示的であり、限定的ではないとみなされるべきであり、添付の特許請求の範囲の意味および均等範囲内に入る全ての変更が本発明に包含されるものと意図される。
【図１】
2010508996.tif 000003
【図２】
2010508996.tif 000004
【図３】
2010508996.tif 000005
【図４】
2010508996.tif 000006
【図５】
2010508996.tif 000007
【図６】
2010508996.tif 000008
【図７】
2010508996.tif 000009
【図８】
2010508996.tif 000010
【図９】
2010508996.tif 000011
【図１０】
2010508996.tif 000012
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
細長い部材を椎骨の後面に取り付けるための固定装置であって、
前記椎骨の前記後面に接触する第１の面と、前記第１の面と対向する第２の面とを含む本体であって、前記本体は、さらに第１のフックを含み、前記第１のフックは、前記第１の面を越えて外側に延在して前記椎骨に係合する、本体と、
前記細長い部材を受け取るために前記本体の内部に形成された受取部と、
第２のフックを含む係合部材であって、前記係合部材は前記本体に摺動可能に取り付けられて、前記椎骨に係合するための圧縮力を加えるために、前記第１のフックと前記第２のフックとの間の距離を調節する、係合部材と、を備える装置。
【請求項２】
前記第１のフックが、前記本体の中央に沿って位置合わせされる、請求項１に記載の装置。
【請求項３】
前記第２のフックが、前記第１のフックと軸線方向で位置合わせされて、前記第１のフックに対面する、請求項２に記載の装置。
【請求項４】
前記係合部材が、前記第１のフックと共通の方向に前記本体から外側に延在する、請求項１に記載の装置。
【請求項５】
前記係合部材が、前記第１のフックと反対の方向に前記本体から外側に延在する、請求項１に記載の装置。
【請求項６】
前記係合部材が、実質的にＴ字形であり、中央部材と、フック付き端部をそれぞれが含む一対の腕部とを有する、請求項１に記載の装置。
【請求項７】
前記装置が、さらに前記本体を通って延在する取り付け部材を備え、前記取り付け部材が、前記椎骨の前記後面に接触する足部を含む、請求項１に記載の装置。
【請求項８】
前記装置が、さらに溝孔を備え、前記溝孔は、前記本体の前記第２の面に延在して、前記係合部材の腕部を受け取るように寸法設定される、請求項１に記載の装置。
【請求項９】
前記装置が、さらに前記本体に取り付けられる固定具を備え、前記固定具が、前記受取部の上に延在して前記細長い部材を前記本体に固定し、かつ前記係合部材の上に延在して前記係合部材を前記本体に固定する、請求項１に記載の装置。
【請求項１０】
前記装置が、さらに前記本体の前記第２の面に取り付けられるキャップを備え、前記キャップが、前記細長い部材の上に延在する、請求項１に記載の装置。
【請求項１１】
細長い部材を椎骨の後面に取り付けるための固定装置であって、
前記椎骨の前記後面に接触する第１の面と、前記第１の面と対向する第２の面とを含む本体であって、前記本体が、さらに第１のフックを含み、前記第１のフックが、前記第１の面を越えて外側に延在して前記椎骨に係合する、本体と、
前記細長い部材を受け取るために前記本体の内部に形成された受取部と、
第１の区域および第２の区域を含む係合部材であって、前記第１の区域が、前記本体の前記第２の面に摺動可能に取り付けられ、かつ前記第１のフックおよび前記第２の区域の間の距離を調節するために移動可能である、係合部材と、
前記本体に前記第１の区域を固定して、前記係合部材および前記本体の間の移動を防止する固定具と、を備える固定装置。
【請求項１２】
前記固定具が、さらに、前記細長い部材を前記受取部の内部に固定する、請求項１１に記載の装置。
【請求項１３】
前記第２の区域が、第２のフックを含み、前記第２のフックは、前記係合部材が前記本体に固定されるときに、前記第１のフックと軸線方向で位置合わせされる、請求項１１に記載の装置。
【請求項１４】
前記装置は、さらに、前記本体の前記第２の面に取り付けられるキャップを備え、前記キャップが、前記細長い部材の上に延在し、前記細長い部材を前記受取部の内部に収容する、請求項１１に記載の装置。
【請求項１５】
前記第２の区域が、湾曲され、かつフック付き端部を含む、請求項１１に記載の装置。
【請求項１６】
前記装置が、さらに、第２の細長い部材を受け取るために第２の受取部を備え、前記第２の受取部が、前記受取部と実質的に平行である、請求項１１に記載の装置。
【請求項１７】
第１および第２の細長い部材を椎骨の後面に取り付けるための固定装置であって、
前記椎骨の前記後面に接触する第１の面と、前記第１の面に対向する第２の面とを含む本体であって、前記本体は、中央区域と、第１および第２の翼とを含み、前記第１および第２の翼は、前記中央区域の両側から側向外側に延在し、前記本体は、さらに第１のフックを含み、前記第１のフックは、前記中央区域から外側に前記第１の面を越えて延在して前記椎骨に係合する、本体と、
前記第１の細長い部材を受け取るために、前記第１の翼の内部に形成された第１の受取部と、
前記第２の細長い部材を受け取るために、前記第２の翼の内部に形成された第２の受取部と、
第２のフックを含む係合部材であって、前記係合部材は、前記中央区域に動作可能に取り付けられ、前記第１のフックおよび前記第２のフックの間の距離を調節するために移動可能である、係合部材と、
前記本体に取り付けられる固定具であって、前記固定具は、前記第１および第２の受取部にわたって延在するように寸法設定されて、前記第１および第２の細長い部材と前記係合部材とを前記本体に固定する、固定具と、を備える装置。
【請求項１８】
前記係合部材が、実質的に直線状であり、前記第２のフックが、前記第１のフックと軸線方向で位置合わせされる、請求項１７に記載の装置。
【請求項１９】
前記固定具が、ナットと、ねじ切りボルトとを備える、請求項１７に記載の装置。
【請求項２０】
前記装置が、さらに前記細長い部材と前記本体との上に延在するキャップを備え、前記キャップが、前記固定具によって前記本体に取り付けられる、請求項１７に記載の装置。
【請求項２１】
前記第１のフックと前記係合部材とがそれぞれ、前記本体の共通の側から外側に延在する、請求項１７に記載の装置。
【請求項２２】
前記係合部材が、前記本体に接触する第１の区域と、第２の区域とを含み、前記第２の区域が、フック付き端部をそれぞれ含む一対の腕部を含む、請求項１７に記載の装置。
【国際調査報告】
2010508996.tif 000013
2010508996.tif 000014
2010508996.tif 000015
2010508996.tif 000016